(57)【特許請求の範囲】
【請求項１】
第１端子と平衡端子である第２端子との間に接続され、一方の端子が前記第１端子に接続された第１ＤＭＳフィルタと、一方の端子が前記第１端子に接続された第２ＤＭＳフィルタと、を含むフィルタ回路と、
前記第１ＤＭＳフィルタの他方の端子と、前記第２端子の一方との間に直列に接続された第１インダクタと、前記第２ＤＭＳフィルタの他方の端子と、前記第２端子の他方との間に直列に接続された第２インダクタと、を含むマッチング回路と、を備え、
前記第２端子の前記一方から前記第１インダクタを見た場合のインピーダンスは、前記第１ＤＭＳフィルタの前記他方の端子及び前記第１インダクタの間のノードから前記第１ＤＭＳフィルタを見た場合のインピーダンスより小さく、
前記第２端子の前記他方から前記第２インダクタを見た場合のインピーダンスは、前記第２ＤＭＳフィルタの前記他方の端子及び前記第２インダクタの間のノードから前記第２ＤＭＳフィルタを見た場合のインピーダンスより小さいことを特徴とするフィルタ。
【請求項２】
前記第１インダクタと前記第２インダクタのインダクタンスは異なることを特徴とする請求項１に記載のフィルタ。
【請求項３】
前記第１端子はアンテナ端子、前記第２端子は受信端子であり、前記第２端子の前記一方から前記第１インダクタを見た場合のインピーダンス、および前記第２端子の前記他方から前記第２インダクタを見た場合のインピーダンスは出力インピーダンスであることを特徴とする請求項１または２に記載のフィルタ。
【請求項４】
前記第１端子はアンテナ端子、前記第２端子は送信端子であり、前記第２端子の前記一方から前記第１インダクタを見た場合のインピーダンス、および前記第２端子の前記他方から前記第２インダクタを見た場合のインピーダンスは入力インピーダンスであることを特徴とする請求項１または２に記載のフィルタ。
【請求項５】
前記第２端子の前記一方から前記第１インダクタを見た場合のインピーダンス、および前記第２端子の前記他方から前記第２インダクタを見た場合のインピーダンスは１００Ωであり、前記第１ＤＭＳフィルタの前記他方の端子及び前記第１インダクタの間のノードから前記第１ＤＭＳフィルタを見た場合のインピーダンス、および前記第２ＤＭＳフィルタの前記他方の端子及び前記第２インダクタの間のノードから前記第２ＤＭＳフィルタを見た場合のインピーダンスは１２５Ω以上２５０Ω以下であることを特徴とする請求項１〜４のいずれか１項に記載のフィルタ。
【請求項６】
フィルタ回路は、前記第１ＤＭＳフィルタの前記他方の端子と前記第１インダクタとの間に直列に接続された第１共振器と、前記第２ＤＭＳフィルタの前記他方の端子と前記第２インダクタとの間に直列に接続された第２共振器と、を含むことを特徴とする請求項１〜５のいずれか１項に記載のフィルタ。
【請求項７】
前記マッチング回路は、前記第２端子の前記一方と前記第２端子の前記他方との間を接続する経路を備えないことを特徴とする請求項１〜６のいずれか１項に記載のフィルタ。
【請求項８】
請求項１〜７のいずれか１項に記載のフィルタを備えたデュプレクサ。
【発明の詳細な説明】
【技術分野】
【０００１】
本発明は、無線端末の高周波回路等で使用されるフィルタ及びデュプレクサに関する。
【背景技術】
【０００２】
携帯電話をはじめとする無線端末の高周波回路は、共通のアンテナ端子に接続された送信フィルタ及び受信フィルタを含むデュプレクサを備えている。各フィルタには、弾性表面波（ＳＡＷ：Surface Acoustic Wave）やバルク波（ＢＡＷ：Bulk Acoustic Wave）、ＬＯＶＥ波、境界波、Ｌａｍb波等の弾性波を利用する弾性波フィルタが用いられている。
【先行技術文献】
【特許文献】
【０００３】
【特許文献１】特開２００８−２６３６２４号公報
【発明の概要】
【発明が解決しようとする課題】
【０００４】
無線端末の多機能化及び高機能化に伴い、良好な特性（低損失、広帯域幅）を有するフィルタ及びデュプレクサが求められている。本発明は、当該課題に鑑みなされたものであり、良好な特性を有するフィルタ及びデュプレクサを提供することを目的とする。
【課題を解決するための手段】
【０００５】
本発明は、第１端子と平衡端子である第２端子との間に接続され、一方の端子が前記第１端子に接続された第１ＤＭＳフィルタと、一方の端子が前記第１端子に接続された第２ＤＭＳフィルタと、を含むフィルタ回路と、前記第１ＤＭＳフィルタの他方の端子と、前記第２端子の一方との間に直列に接続された第１インダクタと、前記第２ＤＭＳフィルタの他方の端子と、前記第２端子の他方との間に直列に接続された第２インダクタと、を含むマッチング回路と、を備え、前記第２端子の前記一方から前記第１インダクタを見た場合のインピーダンスは、前記第１ＤＭＳフィルタの前記他方の端子及び前記第１インダクタの間のノードから前記第１ＤＭＳフィルタを見た場合のインピーダンスより小さく、前記第２端子の前記他方から前記第２インダクタを見た場合のインピーダンスは、前記第２ＤＭＳフィルタの前記他方の端子及び前記第２インダクタの間のノードから前記第２ＤＭＳフィルタを見た場合のインピーダンスより小さいことを特徴とするフィルタである。
【０００８】
上記構成において前記第１インダクタと前記第２インダクタのインダクタンスは異なる構成とすることができる。
【００１４】
上記構成において、前記第１端子はアンテナ端子、前記第２端子は受信端子であり、前記第２端子の前記一方から前記第１インダクタを見た場合のインピーダンス、および前記第２端子の前記他方から前記第２インダクタを見た場合のインピーダンスは出力インピーダンスである構成とすることができる。
【００１５】
上記構成において前記第１端子はアンテナ端子、前記第２端子は送信端子であり、前記第２端子の前記一方から前記第１インダクタを見た場合のインピーダンス、および前記第２端子の前記他方から前記第２インダクタを見た場合のインピーダンスは入力インピーダンスである構成とすることができる。
【００１６】
上記構成において、前記第２端子の前記一方から前記第１インダクタを見た場合のインピーダンス、および前記第２端子の前記他方から前記第２インダクタを見た場合のインピーダンスは１００Ωであり、前記第１ＤＭＳフィルタの前記他方の端子及び前記第１インダクタの間のノードから前記第１ＤＭＳフィルタを見た場合のインピーダンス、および前記第２ＤＭＳフィルタの前記他方の端子及び前記第２インダクタの間のノードから前記第２ＤＭＳフィルタを見た場合のインピーダンスは１２５Ω以上２５０Ω以下である構成とすることができる。
【００１７】
本発明は、上記いずれかに記載のフィルタを備えたデュプレクサである。
【発明の効果】
【００１８】
本発明によれば、良好な特性を有するフィルタ及びデュプレクサを提供することができる。
【図面の簡単な説明】
【００１９】
【図１】実施例１に係るデュプレクサの構成を示す図である。
【図２】受信フィルタ回路の構成を示す図である。
【図３】受信フィルタ回路におけるマッチング前後のインピーダンス特性の比較を示すグラフである。
【図４】受信フィルタ回路における出力インピーダンスの違いによる挿入損失特性の比較を示すグラフである。
【図５】受信フィルタ回路における出力インピーダンスの違いによる損失の比較を示すグラフである。
【図６】受信フィルタ回路における出力インピーダンスの違いによる帯域幅の比較を示すグラフである。
【図７】変形例に係るデュプレクサの構成を示す図（その１）である。
【図８】実施例１及び変形例１に係る受信フィルタ回路の挿入損失特性の比較を示すグラフである。
【図９】実施例１及び変形例１に係る受信フィルタ回路のインピーダンス特性の比較を示すグラフである。
【図１０】実施例１及び変形例２に係る受信フィルタ回路の挿入損失特性の比較を示すグラフである。
【図１１】実施例１及び変形例２に係る受信フィルタ回路のインピーダンス特性の比較を示すグラフである。
【図１２】ＤＭＳ部の変形例を示す図（その１、その２）である。
【図１３】ＤＭＳ部の変形例を示す図（その３）である。
【図１４】マッチング回路内のインダクタのインダクタンスの違いによるバランス特性の比較を示すグラフである。
【図１５】変形例に係るデュプレクサの構成を示す図（その２）である。
【図１６】変形例に係るデュプレクサの構成を示す図（その３）である。
【発明を実施するための形態】
【実施例１】
【００２０】
図１は、実施例１に係るデュプレクサの構成を示す図である。デュプレクサ１０は、アンテナ端子Ａｎｔ、送信端子Ｔｘ、及び２つの受信端子（Ｒｘ１、Ｒｘ２）に接続されている。デュプレクサ１０は、アンテナ端子Ａｎｔと送信端子Ｔｘ１との間に接続された送信フィルタ回路１２と、アンテナ端子Ａｎｔと受信端子（Ｒｘ１、Ｒｘ２）との間に接続された受信フィルタ回路１４とを含む。送信フィルタ回路１２及び受信フィルタ回路１４は、アンテナ端子Ａｎｔを共有している。受信フィルタ回路１４は、２つの平衡出力端子（Ｒｘ１、Ｒｘ２）に接続されたバランス回路となっている。
【００２１】
デュプレクサ１０は、更に、受信フィルタ回路１４と受信端子（Ｒｘ１、Ｒｘ２）との間に接続されたマッチング回路２０と、アンテナ端子Ａｎｔ及び接地の間に接続されたインダクタＬ１を含む。Ｌ１は、アンテナ端子Ａｎｔ側に設けられた整合用のインダクタである。マッチング回路２０は、受信フィルタ回路１４と受信端子Ｒｘ１との間に接続されたインダクタＬ２と、受信フィルタ回路１４と受信端子Ｒｘ２との間に接続されたインダクタＬ３とを含む。実施例１では、マッチング回路２０におけるインダクタ（Ｌ２、Ｌ３）が、受信端子（Ｒｘ１、Ｒｘ２）に直列に接続される構成となっている。
【００２２】
図２は、受信フィルタ回路１４の詳細な構成を示す図である。受信フィルタ回路１４は、ラダー状に配置された共振器Ｒｅｓｏ１〜Ｒｅｓｏ６の間に、二重モードＳＡＷフィルタであるＤＭＳ１及びＤＭＳ２を含むＤＭＳ部４０が設けられた構成となっている。具体的には、アンテナ端子Ａｎｔからの信号経路に近い順から、直列共振器のＲｅｓｏ１及びＲｅｓｏ３が直列に接続されている。信号経路は、Ｒｅｓｏ３の後段で２つに分割され、一方には二重モードＳＡＷフィルタのうちＤＭＳ１が、他方にはＤＭＳ２が、それぞれ接続されている。ＤＭＳ１は、直列共振器Ｒｅｓｏ５を介して受信端子Ｒｘ１に接続され、ＤＭＳ２は、直列共振器Ｒｅｓｏ６を介して受信端子Ｒｘ２に接続されている。並列共振器のうちＲｅｓｏ２は、Ｒｅｓｏ１及びＲｅｓｏ３の間のノードと接地との間に接続され、並列共振器のうちＲｅｓｏ４は、Ｒｅｓｏ３及びＤＭＳ部４０（ＤＭＳ１、ＤＭＳ２）との間のノードと接地との間に接続されている。
【００２３】
共振器Ｒｅｓｏ１〜Ｒｅｓｏ６は、ＳＡＷ共振器であり、それぞれ１組のＩＤＴ（Interdigital Transducer）３０と、その両端に配置された２つの反射電極３２とを含む。ＤＭＳ１〜ＤＭＳ２は、二重モードＳＡＷフィルタであり、それぞれ弾性表面波の伝搬方向に配置された３組のＩＤＴ３０ａ〜３０ｃと、その両端に配置された２つの反射電極３２とを含む。ＤＭＳ１では、３組のＩＤＴのうち中央のＩＤＴ３０ｂがアンテナ端子Ａｎｔ側のＲｅｓｏ３に接続され、他のＩＤＴ３０ａ及び３０ｃが受信端子Ｒｘ１側のＲｅｓｏ５に接続されている。ＤＭＳ２においても同様に、３組のＩＤＴのうち中央のＩＤＴがアンテナ端子Ａｎｔ側のＲｅｓｏ３に、他のＩＤＴが受信端子Ｒｘ２側のＲｅｓｏ６にそれぞれ接続されている。
【００２４】
なお、実施例１において共振器Ｒｅｓｏ１〜Ｒｅｓｏ６はＳＡＷ共振器であるが、共振器Ｒｅｓｏ１〜Ｒｅｓｏ６には他の弾性波デバイスによる共振器（例えば、圧電薄膜共振器など）を用いてもよい。また、Ｒｅｓｏ１〜Ｒｅｓｏ６の共振器の有無、及び共振器の分割数を変更しても良い。
【００２５】
図３は、受信フィルタ回路１４におけるマッチング前後のインピーダンス特性の比較を示すグラフである。以下の説明では、マッチング前のインピーダンスを「出力インピーダンス」、マッチング後のインピーダンスを「終端インピーダンス」と称する。図１を参照に、出力インピーダンスは、受信フィルタ回路１４及びマッチング回路２０の間のノードから見た受信フィルタ回路１４のインピーダンスであり、終端インピーダンスは、受信端子（Ｒｘ１、Ｒｘ２）から見たマッチング回路２０のインピーダンスである。図３では、マッチング前の出力インピーダンスを１５０Ωとし、マッチング後の出力インピーダンスが１００Ωとなるようにマッチングを行っている。このとき、アンテナ端子側のインダクタＬ１の値は、マッチングの前後において共通の３．６ｎＨとしている。
【００２６】
受信フィルタ回路１４は、例えば終端インピーダンスを１００Ωとして使用される。このとき、マッチング前の出力インピーダンスの値や、マッチング回路２０の構成（マッチング方法）を変化させることにより、受信フィルタ回路１４のフィルタ特性を変化させることができる。以下、好ましい出力インピーダンスの値及びマッチング回路２０の構成について検討する。
【００２７】
図４は、受信フィルタ回路１４における出力インピーダンスの違いによる挿入損失特性の比較を示すグラフである。また、図５は、受信フィルタ回路１４における通過帯域の損失をプロットしたグラフであり、図６は、受信フィルタ回路１４の帯域幅（損失：−２．５ｄＢ）をプロットしたグラフである。図４〜図６では、マッチング回路２０がないもの（出力インピーダンス＝終端インピーダンス）と仮定して、その値を１００Ω〜３００Ωの範囲で変化させている。図４及び図５に示すように、出力インピーダンスが１２５Ω〜２００Ωの範囲では、１００Ωの場合に比べて挿入損失が改善されている。また、図４及び図６に示すように、出力インピーダンスが１２５Ω〜２５０Ωの範囲では、１００Ωの場合に比べて帯域幅が改善されている。従って、出力インピーダンスは１２５Ω以上２５０Ω以下の範囲とすることが好ましい。
【００２８】
図４〜図６における出力インピーダンスは、受信フィルタ回路１４を構成するＳＡＷフィルタ（図２）におけるＩＤＴの開口長により変化する。ＳＡＷフィルタのインピーダンスをＺ、電極指の容量をＣとすると、Ｚ＝１／ｊωＣで表される。従って、出力インピーダンスＺが大きくなるほど、容量Ｃは小さくなり、ＩＤＴの開口長は小さくなる。図４〜図６では、出力インピーダンスを１００Ω、１２５Ω、１５０Ω、２００Ω、２５０Ω、３００Ωとした場合において、ＤＭＳ１及びＤＭＳ２のＩＤＴの開口長はそれぞれ３７λ、３３．５λ、３０λ、２３λ、１６λ、９λとなっている。図４〜図６のグラフにおいては、出力インピーダンスが３００Ωの場合にフィルタ特性が大幅に劣化しているが、これはＩＤＴの開口長が短くなったことにより、回折による損失の影響が生じているためと考えられる。
【００２９】
以上のように、出力インピーダンスが大きくなるほど、フィルタ特性において挿入損失及び帯域幅の改善が見られることが分かる。従って、受信フィルタ回路１４の出力インピーダンスは、終端インピーダンスより大きくなるように設定することが好ましい。
【００３０】
図７は、実施例１の第１変形例に係るデュプレクサの構成を示す図である。実施例１（図１）とは、マッチング回路２２の構成が異なっており、その他の構成は同一である。第１変形例では、マッチング回路２２が、２つの平衡受信端子（Ｒｘ１、Ｒｘ２）の間に接続されたインダクタＬ４から構成され、それぞれの受信端子に独立のインダクタが接続される構成とはなっていない。
【００３１】
図８は、受信フィルタ回路１４及びマッチング回路の挿入損失特性を、実施例１及びその変形例１で比較した結果を示すグラフであり、図９は両者のインピーダンス特性の比較結果を示すグラフである。実施例１は、前述のように、マッチング回路として図１のマッチング回路２０を用い、出力インピーダンスを１５０Ω、終端インピーダンスを１００Ωとしたものである。変形例１は、マッチング回路として図７のマッチング回路２２を用い、出力インピーダンス及び終端インピーダンスを共に１００Ωとしたものである。デュプレクサ１０における各インダクタのインダクタンスは、Ｌ１＝３．６ｎＨ、Ｌ２＝２．４ｎＨ、Ｌ３＝２．４ｎＨ、Ｌ４＝１８ｎＨとしている。
【００３２】
図９に示すように、終端インピーダンス（１００Ω）へのマッチングの点では、変形例１は実施例１と比べて同等の性能を示している。しかし、図８に示すように、帯域幅の点では、変形例１は実施例１に比べて狭くなっている。これは、変形例の方が受信フィルタ回路１４の出力インピーダンスが小さく、ＩＤＴの開口長が長くなっているためと考えられる。
【００３３】
図１０は、受信フィルタ回路１４及びマッチング回路の挿入損失特性を、実施例１及び他の変形例２で比較した結果を示すグラフであり、図１１は両者のインピーダンス特性の比較結果を示すグラフである。変形例２は、マッチング回路として図７のマッチング回路２２を用い、出力インピーダンスを１５０Ω、終端インピーダンスを共に１００Ωとしたものである。デュプレクサ１０における各インダクタのインダクタンスは、変形例１と同様にＬ１＝３．６ｎＨ、Ｌ２＝２．４ｎＨ、Ｌ３＝２．４ｎＨ、Ｌ４＝１８ｎＨとしている。
【００３４】
図１１に示すように、終端インピーダンス（１００Ω）へのマッチングの点では、変形例２は実施例１と比べて高い側へずれている。そのため、図１０に示すように、帯域幅の点では、変形例２は実施例１に比べて狭くなっている。これは、実施例１が受信端子（Ｒｘ１、Ｒｘ２）に対し直列接続されたインダクタ（Ｌ２、Ｌ３）でマッチングを行っているのに対し、変形例２では並列接続されたインダクタ（Ｌ４）によりマッチングを行っているため、マッチングが取れていないと考えられる。以上のことから、マッチング回路２０には、各受信端子（Ｒｘ１、Ｒｘ２）に対し直列接続されたインダクタ（Ｌ１、Ｌ２）を用いることが好ましい。
【００３５】
以上のように、実施例１に係るデュプレクサ１０及び受信フィルタ回路１４によれば、マッチング後におけるインピーダンス（終端インピーダンス）の値をマッチング前におけるインピーダンス（出力インピーダンス）より小さくすることにより、フィルタ特性の改善を図ることができる。また、受信フィルタ回路１４が平衡端子（Ｒｘ１、Ｒｘ２）を有する場合には、マッチング回路２０がそれぞれの平衡端子に直列に接続されたインダクタ（Ｌ２、Ｌ３）を含むようにすることで、フィルタ特性の改善を更に図ることができる。
【００３６】
実施例１では、受信フィルタ回路１４におけるＤＭＳ部４０を図２の構成としたが、ＤＭＳ部４０としては他の構成を用いることもできる。以下、この点について説明する。
【００３７】
図１２（ａ）は、ＤＭＳ部の変形例を示す図（その１）である。ＤＭＳ部４０ａは、３つのＩＤＴを含む二重モードＳＡＷフィルタであるＤＭＳ３から構成されている。ＤＭＳ３では、３つのＩＤＴ３０ａ〜３０ｃが、弾性表面波の伝搬方向に配列され、その両端に反射電極３２がそれぞれ配置されている。３つのＩＤＴのうち、中央のＩＤＴ３０ｂがアンテナ端子Ａｎｔ側に接続され、他のＩＤＴのうちＩＤＴ３０ａが受信端子Ｒｘ１に、ＩＤＴ３０ｃが受信端子Ｒｘ２に、それぞれ接続されている。
【００３８】
図２におけるＤＭＳ部４０の各ＤＭＳ（ＤＭＳ１、ＤＭＳ２）の容量をＣｐとし、これを図１２（ａ）のＤＭＳ３で置き換えることを考えた場合、ＤＭＳ３の容量（Ｃｓ）はＣｓ＝２Ｃｐで表される。従って、例えば出力インピーダンスを１５０Ωとし、ＤＭＳ１及びＤＭＳ２の開口長を３０λとした場合、ＤＭＳ３の開口長は倍の６０λとなり、電極指抵抗が増大してしまう。従って、実施例１のＤＭＳ部４０を図１２（ａ）の構成で置き換えることは可能であるが、電極指抵抗を低減する観点からは、図２の構成の方が好ましい。
【００３９】
図１２（ｂ）は、ＤＭＳ部の変形例を示す図（その２）である。ＤＭＳ部４０ｂは、５つのＩＤＴを含む二重モードＳＡＷフィルタであるＤＭＳ４から構成されている。ＤＭＳ４では、５つのＩＤＴ３０ａ〜３０ｅが、弾性表面波の伝搬方向に配列され、その両端に反射電極３２がそれぞれ配置されている。３つのＩＤＴのうち、中央の及び両端のＩＤＴ３０ａ、３０ｃ、３０ｅがアンテナ端子Ａｎｔ側に共通に接続され、他のＩＤＴのうちＩＤＴ３０ｂが受信端子Ｒｘ１に、ＩＤＴ３０ｄが受信端子Ｒｘ２に、それぞれ接続されている。本構成においても、実施例１と同じく、フィルタ特性の改善を図ることができる。
【００４０】
図１３は、ＤＭＳ部の変形例を示す図（その３）である。ＤＭＳ部４０ｃは、図２におけるＤＭＳ１及びＤＭＳ２が縦結合された構造を有する。すなわち、受信端子Ｒｘ１及びアンテナ端子Ａｎｔの間には、ＤＭＳ５及びＤＭＳ７が直列に接続され、受信端子Ｒｘ２及びアンテナ端子Ａｎｔの間には、ＤＭＳ６及びＤＭＳ８が直列に接続されている。各ＤＭＳ５〜ＤＭＳ８は、それぞれ３つのＩＤＴを含む二重モードＳＡＷフィルタとなっている。本構成においても、実施例１と同じく、フィルタ特性の改善を図ることができる。
【００４１】
実施例１では、マッチング回路２０におけるインダクタＬ２及びＬ３値を共に２．４ｎＨとした例について説明したが、これらのインダクタの値は異なっていてもよい。
【００４２】
図１４は、マッチング回路２０におけるインダクタンスの違いによるバランス特性の比較を示すグラフである。グラフの点線は、実施例１のようにＬ２＝Ｌ３とした場合を示し、グラフの実線は、Ｌ２≠Ｌ３（Ｌ２＝２．０ｎＨ、Ｌ３＝２．４ｎＨ）とした場合を示す。図示するように、実線のグラフの方が、点線のグラフに比べ、フィルタのバランス特性が改善されている。このように、平衡端子を有する受信端子（Ｒｘ１、Ｒｘ２）に対し、マッチング回路２０として２つのインダクタ（Ｌ２、Ｌ３）を直列に接続する場合には、それぞれのインダクタのインダクタンスを任意に調整することにより、バランス特性の改善を図ることができる。
【００４３】
実施例１では、受信フィルタ回路１４と受信端子（Ｒｘ１、Ｒｘ２）との間にマッチング回路２０を配置する例について説明したが、マッチング回路２０を他の箇所に配置した場合でも、実施例１と同様にフィルタ特性の改善を図ることができる。
【００４４】
図１５は、変形例に係るデュプレクサの構成を示す図（その２）である。デュプレクサ１０は、２つの送信端子（Ｔｘ１、Ｔｘ２）を有し、送信フィルタ回路１２と送信端子の間にはマッチング回路２４が接続されている。マッチング回路２４の構成は、図１と同様に、各送信端子（Ｔｘ１、Ｔｘ２）に対し、インダクタ（Ｌ５、Ｌ６）が直列に接続された構成となっている。送信フィルタ回路１２は、図２の受信フィルタ回路１４と同じく、二重モードフィルタを含むＳＡＷフィルタがラダー状に配置された構成となっている。以下の説明において、送信フィルタ回路１２及びマッチング回路２４の間のノードから見た送信フィルタ回路１２のインピーダンスを「入力インピーダンス」、受信端子（Ｒｘ１、Ｒｘ２）から見たマッチング回路２４のインピーダンスを「終端インピーダンス」と称する。
【００４５】
図１５のデュプレクサにおいても、マッチング前の「入力インピーダンス」を、マッチング後の「終端インピーダンス」より大きくすることで、送信フィルタ回路１２内のＳＡＷフィルタを構成するＩＤＴの開口長を小さくすることができる。その結果、図５及び図６に示すように、フィルタの挿入損失及び帯域幅を改善できることが期待される。
【００４６】
図１６は、変形例に係るデュプレクサの構成を示す図（その３）である。これまでの実施例及び変形例と異なり、デュプレクサ１０は１つの受信端子（不平衡端子）Ｒｘのみを有する。受信フィルタ回路１４及び受信端子Ｒｘの間には、マッチング回路２６が設けられている。マッチング回路２６は、実施例１と同じく、受信端子Ｒｘに直列に接続されたインダクタＬ７を含む。
【００４７】
図１６のデュプレクサにおいても、マッチング前の「出力インピーダンス」を、マッチング後の「終端インピーダンス」より大きくすることで、受信フィルタ回路１４内のＳＡＷフィルタを構成するＩＤＴの開口長を小さくすることができる。その結果、図５及び図６に示すように、フィルタの挿入損失及び帯域幅を改善できることが期待される。
【００４８】
なお、図１６のマッチング回路２６は、送信フィルタ回路１２側に設けられていてもよい。また、実施例１及びその変形例では、マッチング回路が受信側または送信側のいずれか一方に設けられている例について説明した。しかし、マッチング回路は、送信フィルタ回路１２及び送信端子Ｔｘの間、及び受信フィルタ回路１４及び受信端子Ｒｘの間の少なくとも一方に設けられていればよく、両方にマッチング回路を設ける構成を採用することも可能である。
【００４９】
また、実施例１及び変形例では、共振器またはＤＭＳを構成する弾性波デバイスとして、弾性表面波（ＳＡＷ）を用いる弾性波デバイスを例に説明を行ったが、他にもＩＤＴを含むフィルタとして、ラブ波・弾性境界波等を用いる弾性波デバイスを採用することができる。
【００５０】
以上、本発明の実施例について詳述したが、本発明はかかる特定の実施例に限定されるものではなく、特許請求の範囲に記載された本発明の要旨の範囲内において、種々の変形・変更が可能である。
【符号の説明】
【００５１】
１０          デュプレクサ
１２          送信フィルタ回路
１４          受信フィルタ回路
２０〜２６    マッチング回路
３０          ＩＤＴ
３２          反射電極
Ａｎｔ        アンテナ端子
Ｔｘ          送信端子
Ｒｘ          受信端子
Ｒｅｓｏ      共振器
ＤＭＳ        二重モードＳＡＷフィルタ
Ｌ            インダクタ
【図１】
0005933355.tif 000002
【図２】
0005933355.tif 000003
【図３】
0005933355.tif 000004
【図４】
0005933355.tif 000005
【図５】
0005933355.tif 000006
【図６】
0005933355.tif 000007
【図７】
0005933355.tif 000008
【図８】
0005933355.tif 000009
【図９】
0005933355.tif 000010
【図１０】
0005933355.tif 000011
【図１１】
0005933355.tif 000012
【図１２】
0005933355.tif 000013
【図１３】
0005933355.tif 000014
【図１４】
0005933355.tif 000015
【図１５】
0005933355.tif 000016
【図１６】
0005933355.tif 000017